(57)【要約】【課題】紙カード同士の貼り付きによる発券トラブルを防止し、紙カードを一枚ずつ確実に排出することが可能な発券装置を提供すること。【解決手段】一方の面側に印刷が為されると共に他方の面側または上記一方の面側に磁気記録が為されるカード部材１０１が多数連なるカード連続体１００から、カード部材１０１を切り離し、印刷および磁気記録後に発券を行う発券装置１０であり、カード連続体１００を搬送するフィーダ３０と、カード連続体１００の中で、一のカード部材１０１と他のカード部材１０１の間で貼り付いている接着部分が形成されている場合に、フィーダ３０によりカード連続体１００を搬送する際に与えられる引っ張り力を利用して、フィーダ３０への搬送途中で該接着部分を剥がす向きの力を与える剥がし機構６０と、を具備する。【選択図】図１
2007219698.tif 000002
【特許請求の範囲】
【請求項１】
一方の面側に印刷が為されると共に他方の面側または上記一方の面側に磁気記録が為されるカード部材が多数連なるカード連続体から、上記カード部材を切り離し、印刷および磁気記録後に発券を行う発券装置において、
上記カード連続体を搬送するフィーダと、
上記カード連続体の中で、一の上記カード部材と他の上記カード部材の間で貼り付いている接着部分が形成されている場合に、上記フィーダにより上記カード連続体を搬送する際に与えられる引っ張り力を利用して、上記フィーダへの搬送途中で該接着部分を剥がす向きの力を与える剥がし機構と、
を具備することを特徴とする発券装置。
【請求項２】
前記カード部材は、他の前記カード部材に対して連結部を介して連結して前記カード連続体を構成していて、
前記カード連続体は、上記連結部を所定の個数ごとに折り曲げることにより、つづら折りの状態で収納手段の内部に収納されていると共に、
前記剥がし機構は、
前記カード連続体を迂回させる迂回手段を具備すると共に、
この迂回手段に沿って前記カード連続体を搬送すると、前記カード部材が撓まされ、この撓みによって、前記接着部分が剥がされる、
ことを特徴とする請求項１記載の発券装置。
【請求項３】
前記迂回手段は、複数のポール部材を具備し、これらポール部材は、その外周面に前記カード部材を倣わせると共に、
複数の上記ポール部材は、
前記カード部材に折り目を生じさせないと共に、外周面に倣わせる場合に前記接着部分を剥がすのに適した撓み力を与えるだけの直径を有している、
ことを特徴とする請求項２記載の発券装置。
【請求項４】
前記迂回手段の入口部分には、
前記カード部材の撓みの後端側を抑えて撓みを確実に生じさせるためのガイド壁が設けられている、
ことを特徴とする請求項３記載の発券装置。
【請求項５】
前記ガイド壁と前記ポール部材との間の間隔は、前記カード部材の搬送方向における長さ寸法よりも小さく設けられていることを特徴とする請求項４記載の発券装置。
【請求項６】
複数の前記ポール部材の外周面に走行抵抗部が設けられていて、
この走行抵抗部に前記カード部材が接触する状態で、前記フィーダにより前記カード連続体が搬送されると、前記カード部材には、前記接着部分を剥がすだけのバックテンションが与えられる、
ことを特徴とする請求項３から５のいずれか１項に記載の発券装置。
【請求項７】
前記ポール部材は、２つ設けられていると共に、
前記カード部材が待機状態にある場合、該カード部材の搬送方向における一端側は、一の前記ポール部材の外周面に位置すると共に、該カード部材の搬送方向における他端側は、他の前記ポール部材の外周面に位置する、
ことを特徴とする請求項３から６のいずれか１項に記載の発券装置。
【発明の詳細な説明】
【技術分野】
【０００１】
本発明は、自動車や自転車等を駐車する駐車場等において発券される発券装置に関する。
【背景技術】
【０００２】
各種施設の駐車場には、入場時刻等を記録するカードを発券する発券装置が設置される場合が多い。この発券装置の中には、紙カードを発券するタイプがある。かかる紙カードには、表面側に印刷を行うための印刷層、裏面側または表面側に磁気記録を行うための磁気記録層が設けられているタイプが多い。かかる紙カードを発券させる場合、上述の発券装置のパネル面に設けられている発券ボタンをユーザが押下すると、印刷層へ印刷してユーザに入場時刻を通知すると共に、磁気記録層へ磁気記録を行い、磁気読取装置での入場時刻の読み取りを可能としている。
【０００３】
ここで、従来の紙カードを発券するタイプの発券装置としては、図９に示すものがある。この図９に示す発券装置は、収納箱２の内部には、多数の紙カード１がつづら折りで連続している状態で、収納されている。また、紙カード１の先端側は、フィーダ３に装填される。そして、紙カード１の発券が指令されると、フィーダ３では、紙カード１が切り離され、順次カードリーダ・ライタ４側に搬送されると共に、カードリーダ・ライタ４に搬送された分だけ、収納箱２から新たな紙カード１が引き出される。
【０００４】
なお、かかる図９に示す発券装置と類似の発券装置としては、特許文献１に開示されているものがある。
【０００５】
【特許文献１】特開２００４−２０６２３３号公報（要約、図８等参照）
【発明の開示】
【発明が解決しようとする課題】
【０００６】
ところで、上述のように、紙カード１がつづら折りで連続している状態では、隣接する紙カード１が互いに貼り付いてしまう、という問題が生じている。特に、紙カード１が長期に亘って収納箱２の内部に収納されたままでいると、紙カード１同士の境界であって折り曲げられる切取部の付近（折れ曲がり地点）で、貼り付きが多数生じる。
【０００７】
この状態を、図１０および図１１に示す。図１０および図１１のうち、丸印で囲まれている部分では、紙カード１同士が貼り付いている。ここで、図１０では、丸印で囲まれている部分では、重ねられて互いに隣り合う、２つの折れ曲がり地点で貼り付きが発生している。また、図１１では、さらにもう１つの折れ曲がり地点（合計３つの折れ曲がり地点）で貼り付きが発生している。
【０００８】
この貼り付きの原因は、現在、明確ではいない。しかしながら、紙カード１の磁気記録層は、磁性粉を接着剤を介して固着させており、その接着剤の一部が溶け出すことにより、貼り付きが生じているのではないか、と考えられている。特に、折れ曲がり地点では、紙カード１の境界部分が折り曲げられるため、表面の磁性粉に覆われている接着層が露出する。そして、例えば湿気を帯びる等の環境下では、この接着層が溶け出し、貼り付きが生じる、と考えられている。また、印刷層は、下地をＯＰニスで覆う構成となっているものもあるが、紙カード１の境界部分では、折り曲げにより、下地が露出する。そのため、例えば湿気を帯びる等の環境下では、接着層と同様に下地が溶け出す等の問題が生じ、貼り付きが生じる、と考えられている。
【０００９】
このような紙カード１同士の貼り付きが生じると、フィーダ３やカードリーダ・ライタ４には、紙カード１が複数重ねられた状態で送り込まれる。それにより、フィーダ３やカードリーダ・ライタ４に、紙詰まりを生じさせる場合があり、故障を生じさせかねない。また、カードリーダ・ライタ４では、複数の紙カード１が重ねられた状態で供給されると、紙カード１が一方の面側に印刷が為されると共に他方の面側に磁気記録が為されるカードの場合は、最上部の紙カード１の印刷層には、印刷が実行されていると共に、最下部の紙カード１の磁気記録層には、磁気記録がなされた状態で排出される。つまり、印刷層への印刷と、磁気記録層への磁気記録とが、同一の紙カード１ではなく、別々の紙カード１に為される状態となる。
【００１０】
この場合、一般に、ユーザは印刷が為されている紙カード１が正しいものと信じて、精算機に印刷が為された紙カード１を挿入して駐車料金の精算を行おうとする。しかしながら、精算機側では、駐車に関する磁気記録情報を読み取ることができないため、エラーとなり、駐車料金の精算ができない、という問題が生じる。このような問題が発生すると、駐車場管理者が出向いて料金精算に対処しなければならない。その場合、駐車場出口の稼動が止まり、他ユーザの自動車が滞る等の問題が生じる。また、エラーが生じる場合、紙カード１が無駄になる等の問題が生じる。さらに、発券装置等を設置してある施設（例えば各種の商業施設等）に対し、ユーザの不快感が高まるため、ユーザが当該施設に対してリピータとなる確率が減少する等、好ましくない事態を招く。
【００１１】
本発明は上記の事情にもとづきなされたもので、その目的とするところは、紙カード同士の貼り付きによる発券トラブルを防止し、紙カードを一枚ずつ確実に排出することが可能な発券装置を提供しよう、とするものである。
【課題を解決するための手段】
【００１２】
上記課題を解決するために、本発明は、一方の面側に印刷が為されると共に他方の面側に磁気記録が為されるカード部材が多数連なるカード連続体から、カード部材を切り離し、印刷および磁気記録後に発券を行う発券装置において、カード連続体を搬送するフィーダと、カード連続体の中で、一のカード部材と他のカード部材の間で貼り付いている接着部分が形成されている場合に、フィーダによりカード連続体を搬送する際に与えられる引っ張り力を利用して、フィーダへの搬送途中で該接着部分を剥がす向きの力を与える剥がし機構と、を具備するものである。
【００１３】
このように構成した場合には、カード連続体の中で、カード部材同士の間で接着部分が形成されていても、剥がし機構において、フィーダでのカード連続体の搬送の際に与えられる引張り力を利用して、接着部分が剥がされる。そのため、複数のカード部材が貼り付いたままで、フィーダ側に供給されるのが防止されるため、当該フィーダで紙詰まりが発生するのを防止することが可能となる。また、フィーダからカードリーダ・ライタに複数のカード部材が重ねられた状態で供給されると、カード部材が一方の面側に印刷が為されると共に他方の面側に磁気記録が為されるカードの場合は、印刷と磁気記録とが別々のカード部材に為されるという事態が生じるが、上述の剥がし機構を具備することにより、かかる事態が生じるのを良好に防止することが可能となる。つまり、印刷が為されているカード部材が正しいものと信じて、精算する際に、磁気記録が当該カード部材に為されていないことによる、精算機でのエラーを防止することが可能となる。
【００１４】
さらに、剥がし機構では、フィーダの引っ張り力を利用するのみであり、カード部材が湿気で貼り付くのを防ぐための別途の乾燥機等を設けずに済むため、乾燥機等を設ける場合と比較して、生産段階でのコストを低減することが可能となると共に、発券装置のランニングコストも低減することが可能となる。
【００１５】
また、他の発明は、上述の発明に加えて更に、カード部材は、他のカード部材に対して連結部を介して連結してカード連続体を構成していて、カード連続体は、連結部を所定の個数ごとに折り曲げることにより、つづら折りの状態で収納手段の内部に収納されていると共に、剥がし機構は、カード連続体を迂回させる迂回手段を具備すると共に、この迂回手段に沿ってカード連続体を搬送すると、カード部材が撓まされ、この撓みによって、接着部分が剥がされるものである。
【００１６】
このように構成した場合には、迂回手段に沿ってカード連続体を搬送すると、当該迂回手段によって迂回させられるカード部材が撓ませられる。ここで、接着部分は、特に連結部が存在する折り曲げの境界部分で多発している。このため、カード連続体がフィーダによって搬送させられると、接着部分のうち送りの先端側に位置しているカード部材が撓ませられる。このとき、接着部材のうち送りの後端側に位置しているカード部材も撓ませられようとする。しかしながら、接着部材のうち送りの後端側に位置しているカード部材を撓ませる場合、撓み量に応じて接着部分には反力が生じる。しかも、多数のカード部材が重ねられて貼り付いている場合、そのカード部材の枚数分だけ、撓みによる反力が大きくなる。このため、迂回手段に沿ってカード部材を迂回させ、送りの先端側に位置するカード部材を撓ませるだけで、接着部分を剥がすことが可能となる。
【００１７】
さらに、他の発明は、上述の発明に加えて更に、迂回手段は、複数のポール部材を具備し、これらポール部材は、その外周面にカード部材を倣わせると共に、複数のポール部材は、カード部材に折り目を生じさせないと共に、外周面に倣わせる場合に接着部分を剥がすのに適した撓み力を与えるだけの直径を有しているものである。
【００１８】
このように構成した場合には、迂回手段は、複数のポール部材から構成されているので、カード連続の搬送時に、カード部材はポール部材の外周面に倣うため、カード部材を撓ませることが可能となる。特に、ポール部材は、外周面にカード部材を倣わせる場合に、接着部分を剥がすのに適した撓み力を与えるだけの直径を有している。それにより、接着部材のうち送りの先端側に位置するカード部材を撓ませると、接着部材のうち送りの後端側に位置するカード部材から与えられる撓みの反力によって、接着部分を剥がすことが可能となる。また、ポール部材は、カード部材に折り目を生じさせない程度の直径を有しているため、カード部材に折り目が生じて以後の搬送に支障が生じたり、磁気記録が不完全になったり、発券されるカード部材が折れているのでユーザが受け取るカード部材の体裁が悪い等の不具合を防止することが可能となる。
【００１９】
また、他の発明は、上述の各発明に加えて更に、迂回手段の入口部分には、カード部材の撓みの後端側を抑えて撓みを確実に生じさせるためのガイド壁が設けられているものである。
【００２０】
このように構成した場合には、ガイド壁によって、カード部材の撓みの後端側が抑えられる。それにより、カード部材を良好に撓ませることが可能となり、接着部分を良好に剥がすことが可能となる。
【００２１】
さらに、他の発明は、上述の発明に加えて更に、ガイド壁とポール部材との間の間隔は、カード部材の搬送方向における長さ寸法よりも小さく設けられているものである。このように構成した場合には、カード連続体を搬送すると、搬送時の引っ張り力によって、カード部材がポール部材の外周面に倣って撓もうとする。このとき、ガイド壁とポール部材との間の間隔が、カード部材の搬送方向における長さ寸法よりも小さいため、撓ませられるカード部材の後端側がガイド壁につっかえる。それにより、カード部材をポール部材の外周面に沿って、確実に撓ませることが可能となる。
【００２２】
また、他の発明は、上述の発明に加えて更に、複数のポール部材の外周面に走行抵抗部が設けられていて、この走行抵抗部にカード部材が接触する状態で、フィーダによりカード連続体が搬送されると、カード部材には、接着部分を剥がすだけのバックテンションが与えられるものである。
【００２３】
このように構成した場合には、カード部材をポール部材の外周面に倣わせて、搬送させると、カード連続体には、それぞれのポール部材の外周面に存在する走行抵抗部によって、走行抵抗が生じる。ここで、走行抵抗は、搬送方向に沿ってポール部材を経過するごとに大きくなる。そのため、この走行抵抗が、カード連続体にバックテンションとして作用する。それにより、ポール部材の外周面に沿って倣わせる等しても接着部分が剥がれなかった場合に、当該バックテンションの作用によって、接着部分を剥がすことが可能となる。
【００２４】
また、他の発明は、上述の各発明に加えて更に、ポール部材は、２つ設けられていると共に、カード部材が待機状態にある場合、該カード部材の搬送方向における一端側は、一のポール部材の外周面に位置すると共に、該カード部材の搬送方向における他端側は、他のポール部材の外周面に位置するものである。
【００２５】
このように構成した場合には、発券が為されない待機状態では、カード部材の一端側は一のポール部材の外周面に位置し、さらにカード部材の他端側は、他のポール部材の外周面に位置することから、カード部材の一端側と他端側の間は、いずれのポール部材の外周面にも接触しない状態となる。このため、発券が為されない待機状態では、カード部材の全体が外周面に倣うのを防ぐことができ、長時間カード部材が曲げられた状態で待機することによる、カード部材に曲がりクセがつくのを低減することが可能となる。
【発明の効果】
【００２６】
本発明によると、紙カード同士の貼り付きによる発券トラブルを防止することが可能となる。そのため、紙カードを一枚ずつ、確実に排出することが可能となる。
【発明を実施するための最良の形態】
【００２７】
以下、本発明の一実施の形態に係る発券装置１０について、図１から図８に基づいて説明する。
【００２８】
本実施の形態における発券装置１０は、図３に示すような紙カード１０１に対して、印刷および磁気記録を行った後に、発券を行う装置である。かかる紙カード１０１は、カード部材に対応している。
【００２９】
この紙カード１０１は、印刷層１０２と磁気記録層１０３とを有しており（図４参照）、これら印刷層１０２と磁気記録層１０３とが一方の面側または他方の面側に、それぞれ露出している。これらのうち、印刷層１０２は、印刷が施される部分である。この印刷層１０２は、例えば感熱記録フィルム等から構成されており、例えばサーマルヘッドまたはレーザ等の記録手段により、この印刷層１０２に所定の文字や絵柄を施すことが可能となっている。また、磁気記録層１０３は、磁性粉末を、バインダー等の接着剤によりカード基材に付着させている。そして、この磁気記録層１０３には、磁気情報を記録可能となっている。
【００３０】
なお、紙カード１０１には、印刷層１０２および磁気記録層１０３以外に、不図示のカード基材と接着層等を有している。カード基材は、例えば紙や樹脂を材質として形成されている。また、接着層は、印刷層１０２をカード基材に貼り付けるための部分である。また、印刷層１０２の表面には、ＯＰニス等が塗布されているものもある。また、上述のカード基材に対して、接着層の他に、発色薬品等が塗布されるタイプを用いても良い。
【００３１】
また、本実施の形態では、紙カード１０１には、短手方向に沿う側縁部分に連結部１０４を具備している。連結部１０４は、本実施の形態では、それぞれの側縁部分に２つずつ設けられている。そして、この連結部１０４を介して、一の紙カード１０１に対して他の紙カード１０１が連結された状態となっている。この連結部１０４は、紙カード１０１の発券時には、切断される部分であると共に、収納箱１１０への収納時等には、折り曲げられる部分である。なお、以下の説明では、図２に示すような紙カード１０１が多数連結された状態のものを、カード連続体１００とする。
【００３２】
また、カード連続体１００は、本実施の形態では、カード連続体１００の連結部１０４が、１つおきに、つづら折り状に折り曲げられるように設けられている（図４参照）。そのため、紙カード１０１は、１つおきに、くの字を為すように折り曲げられて、向きを変えるように設けられている。なお、紙カード１０１は、１つおきに折り曲げられる以外に、例えば２つおきに折り曲げられる等、別途の態様で折り曲げられていても良い。
【００３３】
また、上述のカード連続体１００は、図４に示すようなつづら折りの状態で、図４に示すような収納箱１１０に収納されている。この収納箱１１０は、その外観が長尺状の箱状体となっている。また、収納箱１１０のうち、最も面積の小さい側面（長手方向の両端に位置している側面）は、上述の紙カード１０１を１つおきに折り曲げた状態で良好に収納可能とするために、側面は該２つの紙カード１０１が連続しているよりも若干大きく設けられている。また、側面のうち一方側は開放している開放部分となっていて、この開放部分から紙カード１０１が順次フィーダ３０に送り込まれる。なお、本実施の形態では、紙カード１０１が途切れて供給されなくなるのを防止するために、紙カード１０１が収納されている収納箱１１０は２つ設けられている。
【００３４】
また、図１および図２等に示すように、上述の紙カード１０１に印刷および磁気記録を行う発券装置１０は、筐体部２０と、フィーダ３０と、カードリーダ・ライタ４０と、制御ユニット５０と、剥がし機構６０と、を主要な構成要素としている。
【００３５】
これらのうち、図１に示す筐体部２０は、フィーダ３０等、機構の全体を覆う部分である。この筐体部２０には、その側面から開閉可能な開閉扉（不図示）が設けられており、当該開閉扉を開放させることにより、収納箱１１０に収納されたカード連続体１００を補充することを可能としていると共に、発券装置１０の内部の保守・点検を可能としている。また、筐体部２０のうち、ユーザに対する表面には、インターフェース２１が設けられている。インターフェース２１には、不図示の発券ボタンと、カード取出し口２２とが設けられている。これらのうち、発券ボタンは、紙カード１０１の発券を希望するユーザが押下する部分である。また、カード取出し口２２は、印刷および磁気記録が為された紙カード１０１を取り出すための部分である。
【００３６】
また、フィーダ３０は、図２および図５等に示すように、その内部に分離カッター３１、搬送ユニット３２、フォトセンサ３３等を具備している。これらのうち、分離カッター３１は、カード連続体１００から、個別の紙カード１０１を分離するための手段である。また、搬送ユニット３２は、搬送ローラ３２ａと紙送りモータ３２ｂとを具備しており、分離カッター３１によって分離された紙カード１０１を、カードリーダ・ライタ４０側に送り込んだり、フィーダ３０内に分離された紙カード１０１をストックしたりする。また、フォトセンサ３３は、フィーダ３０内に複数設けられており、紙カード１０１の有無を検出する。
【００３７】
なお、本実施の形態では、上述した２つの収納箱１１０から、それぞれ紙カード１０１が供給されている。ここで、一方のカード連続体１００と他方のカード連続体１００とが搬送される通路は、合流点Ａで合流される。しかしながら、例えば一方のカード連続体１００から紙カード１０１が供給されている限り、他方のカード連続体１００を搬送するための搬送ユニット３２は駆動されない。それにより、他方のカード連続体１００は、合流点Ａに供給されずに、待機状態となる。
【００３８】
なお、一方のカード連続体１００または他方のカード連続体１００のいずれかが無くなると、その時点で、合流点Ａに供給される紙カード１０１が、他方のカード連続体１００または一方のカード連続体１００に切り替わる。そして、この間に、一方のカード連続体１００が無くなった旨を、報知手段によって発券装置１０の設置者側に通知するようにするのが好ましい。この報知手段としては、インターフェース２１にランプを設けたり、通信手段を備える場合には、通信手段を介して設置者に通知する等の手段がある。また、発券装置１０を管理している管理者は、一方のカード連続体１００または他方のカード連続体１００のいずれかが無くなると、一方のカード連続体１００または他方のカード連続体１００を収納している収納箱１１０を、筐体部２０の内部の設置箇所に設置する。
【００３９】
また、図２等に示すように、カードリーダ・ライタ４０は、搬送ユニット４１と、フォトセンサ４２と、印刷ユニット４３と、磁気記録ユニット４４とを具備している。これらのうち、搬送ユニット４１は、上述の搬送ユニット３２と同様に、紙カード１０１を搬送する。なお、この搬送ユニット４１も、上述の搬送ユニット３２と同様に、搬送ローラ４１ａと紙送りモータ４１ｂとを具備している。
【００４０】
また、フォトセンサ４２も、上述のフォトセンサ３３と同様に紙カード１０１の有無を検出する。また、印刷ユニット４３は、紙カード１０１の印刷層１０２と対向していて、該印刷層１０２に、駐車に関する情報（例えば、車両が入庫された日時、管理情報等）を記録する。また、磁気記録ユニット４４は、紙カード１０１の磁気記録層１０３と対向していて、該磁気記録層１０３に駐車に関する磁気情報を記録する。
【００４１】
また、筐体部２０の内部には、制御ユニット５０が設けられている（図２参照）。制御ユニット５０は、発券ボタンの押下に伴って、フォトセンサ３３等で紙カード１０１を検出しながら、紙送りモータ３２ｂ，４１ｂ、印刷ユニット４３および磁気記録ユニット４４等に制御指令を与え、これらを制御駆動する。なお、かかる制御ユニット５０は、ＣＰＵ、ＲＯＭ、ＲＡＭ等を具備しており、ＲＯＭ等に記憶されている所定のプログラムを読み出し、当該プログラムに従って、紙送りモータ３２ｂ，４１ｂ、印刷ユニット４３および磁気記録ユニット４４等を制御している。
【００４２】
また、図１、図２等に示すように、筐体部２０には、剥がし機構６０が設けられている。剥がし機構６０は、第１ポール６１と、第２ポール６２と、ガイド壁６３と、を具備している。これらのうち、第１ポール６１および第２ポール６２は、例えば樹脂を材質とする円柱状部材であり、筐体部２０に固定されるプレート体２０ａに取り付けられている（図６参照）。これら第１ポール６１と第２ポール６２とは、迂回手段を構成しており、カード連続体１００の搬送経路は、フィーダ３０への最短距離とはならず、第１ポール６１の外周面および第２ポール６２の外周面に倣うことにより、迂回している。また、これら第１ポール６１および第２ポール６２は、その高さ寸法が、紙カード１０１の短手方向の長さ寸法よりも大きくなるように設けられている。
【００４３】
なお、本実施の形態では、カード連続体１００を収納する収納箱１１０は、筐体部２０の内部に２つ設置されるため、剥がし機構６０も２つ設けられている。しかしながら、収納箱１１０が１つ、または３つ以上設置される場合には、剥がし機構６０は、設置される収納箱１１０の個数に対応させて設けるようにするのが好ましい。また、収納箱１１０の個数よりも、剥がし機構６０の個数が少ない等、個数の不一致が生じていても良い。
【００４４】
また、第１ポール６１と第２ポール６２は、貼り付きが生じている紙カード１０１が該第１ポール６１または第２ポール６２の外周に倣う場合に、紙カード１０１が互いに剥がれるように設けられている。すなわち、紙カード１０１を曲げる（撓ませる）と、撓み量が増大するにつれて、紙カード１０１が元の撓みのない状態に戻ろうとする反力が増大する。そして、この反力が、想定される貼り付きの強さよりも大きくなるように、第１ポール６１および第２ポール６２の直径が設定されている。
【００４５】
なお、紙カード１０１の撓みに抗する反力を大きくするためには、第１ポール６１および第２ポール６２の直径を小さくすれば良い。しかしながら、第１ポール６１および第２ポール６２の直径を小さくし過ぎると、該第１ポール６１および第２ポール６２に紙カード１０１を倣わせた場合に、紙カード１０１が折り目がつく等の不具合が生じる。そのため、第１ポール６１および第２ポール６２の直径の下限は、紙カード１０１に折り目がつかない程度に設定されている。なお、本実施の形態では、第１ポール６１および第２ポール６２の寸法は、略４０ｍｍ程度に設定されている。しかしながら、本実施の形態で用いられる紙カード１０１を使用する場合、第１ポール６１および第２ポール６２の直径としては、２０ｍｍ〜６０ｍｍ程度の間であれば良い。なお、上述の第１ポール６１および第２ポール６２の直径は、紙カード１０１の材質や厚さに応じて種々変更可能である。
【００４６】
また、第１ポール６１および第２ポール６２の外周面は、紙カード１０１に対して、所定の摩擦力（走行抵抗）を生じさせるように設けられている。この摩擦力は、後述するようにカード連続体１００の搬送時に、貼り付きが生じている部分（図７、図８における接着部分Ｂ）を剥がすためのバックテンションを作用させるためのものである。このとき、第１ポール６１および第２ポール６２で生じる摩擦力が、接着部分で想定される接着力よりも大きくなるように、第１ポール６１および第２ポール６２の摩擦係数が設定されている。このため、第１ポール６１および第２ポール６２側から接着部分Ｂに付与されるバックテンションにより、接着部分Ｂは剥がれ、紙カード１０１の貼り付きが解消される。
【００４７】
ここで、第１ポール６１および第２ポール６２で生じる摩擦力が、あまり大きくなり過ぎると、フィーダ３０による搬送ができなくなるか、または連結部１０４が破断してしまう。ここで、連結部１０４が破断した場合、カード連続体１００は、フィーダ３０へ送られる手前の部位で切断部位を有するため、連続性を失い、破断部位よりも後端側の部位を、管理者が再びフィーダ３０に装填する等の手間が生じる。このような事態が生じるのを防ぐため、第１ポール６１および第２ポール６２の表面の摩擦係数は、上述の破断が生じるのを防止する程度の大きさに設定されている。なお、第１ポール６１および第２ポール６２の外周面は、かかるバックテンション（走行抵抗）を付与するための、走行抵抗部として機能している。
【００４８】
また、図７および図８に示すように、第１ポール６１は、ガイド壁６３に近接して設けられている。なお、図１において左側のガイド壁６３は、本実施の形態では、筐体部２０の正面側に位置する壁部を利用して構成されている。ここで、本実施の形態では、第１ポール６１の外周面とガイド壁６３との間の距離Ｌは、紙カード１０１の長手方向の長さ寸法よりも小さく設けられている。すなわち、紙カード１０１の搬送時には、図７に示すように、紙カード１０１には、第１ポール６１よりも紙送りの先端側から図７中右側に向かう引っ張り力Ｆが作用する。このとき、紙カード１０１の紙送りの後端側の端部が、ガイド壁６３にぶつかると、紙カード１０１には撓みが生じる。そして、かかる撓みの発生により、紙カード１０１同士の貼り付きが解消されるように、距離Ｌが設定されている。
【００４９】
なお、距離Ｌは、紙カード１０１の長手方向の長さ寸法よりも小さく設けられるのが好ましい。ここで、本実施の形態では、図４に示すように、紙カード１０１は１つおきに、折り曲げが為されるように設けられている。この場合には、距離Ｌは、紙カード１０１の２つ分の長さ寸法よりも小さく設けるようにすれば良い。
【００５０】
また、第１ポール６１には、第２ポール６２が近接して設けられている。この第２ポール６２は、第１ポール６１よりもガイド壁６３から離間する部位に位置している。すなわち、第２ポール６２の外周面とガイド壁６３との間の距離Ｐは、上述の距離Ｌよりも大きくなるように設けられている。しかも、ガイド壁６３に直交すると共に第１ポール６１の中心を通る法線と、ガイド壁６３に直交すると共に第２ポール６２の中心を通る法線とは、距離Ｑだけ離間している。なお、本実施の形態では、第１ポール６１の中心部と第２ポール６２の中心部とを結ぶ直線と上述の法線とが為す角度θは、略４５度となっている。しかしながら、角度θは、略４５度には限られず、適宜の値を採用することが可能である。
【００５１】
また、第１ポール６１の外周面と第２ポール６２の外周面との間には、距離Ｓの隙間が存在している（図７参照）。この距離Ｓは、紙カード１０１の厚み寸法より十分に大きく設けられていて、該紙カード１０１の送りを妨げないように設けられている。また、本実施の形態では、距離Ｓは、第１ポール６１および第２ポール６２の半径よりも小さくなるように設けられている。
【００５２】
また、第１ポール６１と第２ポール６２とが側壁に取り付けられている位置は、紙カード１０１の発券が為されない待機状態において、紙カード１０１が曲がってしまう、いわゆる「くせ」がつくのを最小限にすることができる位置に設定されている。かかる「くせ」を抑えるために、待機状態における紙カード１０１が、紙送り方向の先端側（連結部１０４付近）が第２ポール６２の外周面に位置すると共に、紙送り方向の後端側（連結部１０４付近）が第１ポール６１の外周面に位置するように、プレート体２０ａに対する第１ポール６１および第２ポール６２の取り付け位置が設定されている。
【００５３】
なお、第２ポール６２に対する紙カード１０１が接触する領域の中間部分に、紙カード１０１の紙送り方向の先端側が位置するようにするのが好ましい。また、紙カード１０１の紙送り方向の先端側のみが、第２ポール６２の外周面に位置するようにして、紙カード１０１の紙送り方向の後端側は、第１ポール６１の外周面に位置しないように設定しても良い。
【００５４】
以上のような構成を有する発券装置１０の作用について、図７および図８に基づいて説明する。
【００５５】
＜ケースＡ＞
紙カード１０１の下流側の先端部がフィーダ３０の内部に差し込まれている、発券可能な状態では、ユーザが発券ボタンを押下する度に紙カード１０１が順次発券されていく。このとき、正常な状態では、紙カード１０１は、フィーダ３０から一枚ずつカードリーダ・ライタ４０に送り込まれる。そして、表面の印刷層１０２に印刷が為されると共に、裏面の磁気記録層１０３に磁気情報が記録された状態で、カード取出し口２２から発券される。
【００５６】
ここで、図７、図８および従来図である図１０、図１１に示すように、紙カード１０１には、貼り付き（図７および図８に示す接着部分Ｂ）が生じる場合がある。この原因としては、例えば長期に亘って発券が為されず、湿気を帯びた状態で紙カード１０１が放置されると、隣接する紙カード１０１同士が貼り付き、それによって接着部分Ｂが形成されると考えられている。この接着部分Ｂは、折り曲げが為されて接着層が外部に露出する状態となる連結部１０４付近で、特に多数形成されている。そして、かかる接着部分Ｂが形成されている部位では、複数の紙カード１０１が、つづら折りを為す状態で重ねられたまま、搬送される。
【００５７】
ここで、カード連続体１００には、フィーダ３０から引張り力が与えられている。このため、接着部分Ｂには、紙送りの先端側から順次、第１ポール６１の外周面に強制的に倣う力が、与えられる。すなわち、紙送りの先端側の紙カード１０１（以下、紙カード１０１ａとする。）は、第１ポール６１の外周面に強制的に倣うように撓まされる。このとき、紙カード１０１ａは、隣り合って重ねられている紙カード１０１（以下、紙カード１０１ｂとする。）と貼り付いているため、紙カード１０１ａと紙カード１０１ｂとの間の接着力に応じて、紙カード１０１ａのみならず、紙カード１０１ｂおよびこの紙カード１０１から折り曲げられている紙カード１０１ｃをも撓ませようとする。
【００５８】
なお、この状態では、ガイド壁６３の存在により、つづら折りを為している紙カード１０１の紙送りの後端側は、該ガイド壁６３につっかえる。それにより、紙カード１０１ａの紙送りの後端側が、図７において時計回りに回転しようとするのが阻止される。それにより、紙カード１０１ａは、第１ポール６１の外周面に強制的に倣うように、撓まされる。
【００５９】
ここで、接着部分Ｂは、連結部１０４の折り曲げ部分であり、非常に小さな面積で貼り付いているのが通常である。そのため、接着部分Ｂの接着力は、２枚の紙カード１０１を撓ませる力よりも小さいのが通常である。そのため、紙カード１０１ａが第１ポール６１に沿って強制的に撓ませられると、紙カード１０１ａが紙カード１０１ｂから剥がれる。以下、紙送りの後端側の紙カード１０１で貼り付きが生じている場合でも、同様にして剥がされる。
【００６０】
＜ケースＢ＞
上述のケースＡを経過すると、紙カード１０１の貼り付きが解消される場合がほとんどである。しかしながら、稀に、第１ポール６１を通過してもなお、紙カード１０１の貼り付きが解消されない場合がある。ここで、接着部分Ｂは、第１ポール６１を通過した後に、第２ポール６２の外周面に沿わされる。すると、紙カード１０１の撓みの向きが逆向きになるため、そのときの力の変化によって、紙カード１０１の貼り付きを解消する力が与えられる。
【００６１】
ここで、稀に、第２ポール６２を通過してもなお、紙カード１０１の貼り付きが解消されない場合がある。このとき、図８に示すように、第１ポール６１の外周面と第２ポール６２の外周面には、紙カード１０１が倣う状態となっている。この場合、紙カード１０１は、第２ポール６２の外周面から所定の摩擦力を受けながら、フィーダ３０から引張り力を受ける。また、紙送りの後端側の紙カード１０１は、第１ポール６１の外周面に接触する状態となっている。このため、接着部分Ｂには、フィーダ３０側から引張り力が加えられると共に、第２ポール６２および第１ポール６１側からは、摩擦力による引張り力（バックテンション）が加えられる。
【００６２】
特に、バックテンションは、紙送り方向に沿って紙カード１０１が送られる場合に、第２ポール６２を経過している方が、第１ポール６１のみを経過している方よりも、強くなる。そのため、接着部分Ｂには、第２ポール６２を経過する時点で、強いバックテンションが作用し、それによって接着部分Ｂは剥がれ、紙カード１０１の貼り付きが解消される。
【００６３】
このような構成の発券装置１０によれば、フィーダ３０でのカード連続体１００の搬送の際に与えられる引張り力を利用して、剥がし機構６０において接着部分Ｂが剥がされる。そのため、複数の紙カード１０１が貼り付いたままで、フィーダ３０側に供給されるのが防止されるため、当該フィーダ３０で紙詰まりが発生するのを防止することが可能となる。そのため、発券装置１０で紙詰まり等を原因とする故障が生じるのを低減することが可能となる。
【００６４】
また、フィーダ３０からカードリーダ・ライタ４０に複数の紙カード１０１が重ねられた状態で供給されると、印刷と磁気記録とが別々の紙カード１０１に為されるという事態が生じる。しかしながら、上述の剥がし機構６０を具備することにより、かかる事態が生じるのを良好に防止することが可能となる。つまり、複数の紙カード１０１がカード取出し口２２から排出されると、ユーザは、通常、印刷が為されている紙カード１０１が正しいものと信じて、精算機に投入する。このとき、印刷が為されている紙カード１０１には、磁気記録が為されていないため、精算機でエラーとなるが、上述の剥がし機構６０を具備することにより、そのような事態が生じるのを防止することが可能となる。
【００６５】
さらに、剥がし機構６０では、フィーダ３０の引っ張り力を利用するのみであり、紙カード１０１が湿気で貼り付くのを防ぐための別途の乾燥機等を設けていない。このため、乾燥機等を設ける場合と比較して、生産段階でのコストを低減することが可能となる。加えて、乾燥機等を設ける場合には、当該乾燥機等を駆動するために常時または間欠的に電力を必要とするが、本発明では、そのような電力を必要としない。そのため、発券装置１０のランニングコストも低減することが可能となる。
【００６６】
また、本実施の形態では、カード連続体１００は、第１ポール６１および第２ポール６２により、迂回させられていて、これら第１ポール６１および第２ポール６２に沿ってカード連続体１００を搬送すると、紙カード１０１が撓まされる。ここで、接着部分Ｂは、特に連結部１０４が存在する折り曲げの境界部分で多発している。このため、カード連続体１００がフィーダ３０によって搬送させられると、接着部分Ｂのうち紙送りの先端側に位置している紙カード１０１ａが撓ませられる。このとき、紙カード１０１ａの撓みに伴って、紙カード１０１ｂも撓ませられようとする。しかしながら、紙カード１０１ｂを撓ませる場合、撓み量に応じて接着部分Ｂには反力が生じる。しかも、図７に示す紙カード１０１ｃ等、多数の紙カード１０１ｃが重ねられて貼り付いている場合、その紙カード１０１ｃ等の枚数分だけ、撓みによる反力が大きくなる。このため、第１ポール６１および第２ポール６２に沿って紙カード１０１を迂回させ、紙カード１０１ａを撓ませるだけで、接着部分Ｂを剥がすことが可能となる。
【００６７】
さらに、本実施の形態では、迂回手段としては、第１ポール６１および第２ポール６２を用いている。このため、フィーダ３０の搬送力により、カード連続体１００を搬送する場合、紙カード１０１は第１ポール６１および第２ポール６２の外周面に倣うため、紙カード１０１を良好に撓ませることが可能となる。
【００６８】
ここで、第１ポール６１および第２ポール６２は、その外周面に紙カード１０１を倣わせる場合に、接着部分Ｂを剥がすのに適した撓み力を与えるだけの直径を有している。それにより、送りの先端側に位置する紙カード１０１ａを撓ませると、送りの後端側に位置する紙カード１０１ｂ，１０１ｃから与えられる撓みの反力によって、接着部分Ｂを剥がすことが可能となる。また、第１ポール６１および第２ポール６２は、紙カード１０１に折り目を生じさせない程度の直径を有しているため、紙カード１０１に折り目が生じて以後の搬送に支障が生じたり、磁気記録が不完全になったり、発券される紙カード１０１が折れているのでユーザが受け取る紙カード１０１の体裁が悪い等の不具合を防止することが可能となる。
【００６９】
また、本実施の形態では、剥がし機構６０は、ガイド壁６３を具備している。このため、第１ポール６１に紙カード１０１が倣う場合、ガイド壁６３によって、紙カード１０１の撓みの後端側が抑えられる。それにより、紙カード１０１を良好に撓ませることが可能となり、接着部分Ｂを良好に剥がすことが可能となる。
【００７０】
さらに、本実施の形態では、第１ポール６１とガイド壁６３との間の距離Ｌは、紙カード１０１の搬送方向における長さ寸法よりも小さく設けられている。このため、紙カード１０１が第１ポール６１の外周面に倣って撓もうとするとき、撓ませられる紙カード１０１ａの後端側がガイド壁６３につっかえる。それにより、紙カード１０１ａを第１ポール６１の外周面に沿って、確実に撓ませることが可能となり、接着部分Ｂを良好に剥がすことが可能となる。
【００７１】
また、第１ポール６１および第２ポール６２の外周面は、走行抵抗部として機能する。このため、紙カード１０１を第１ポール６１および第２ポール６２の外周面に倣わせて搬送させると、カード連続体１００には、バックテンションが生じる。そのため、このバックテンションの作用により、第１ポール６１の外周面に沿って倣わせる等しても接着部分Ｂが剥がれなかった場合でも、接着部分Ｂを剥がすことが可能となる。
【００７２】
さらに、本実施の形態では、紙カード１０１が発券されない待機状態にある場合、紙カード１０１の紙送り方向における先端側は、第２ポール６２の外周面に位置すると共に、紙カード１０１の紙送り方向における後端側は、第１ポール６１の外周面に位置している。このため、発券が為されない紙カード１０１の待機状態では、紙カード１０１の紙送り方向における先端側と後端側の間の部位は、第１ポール６１および第２ポール６２のいずれの外周面にも接触しない状態となる。それにより、紙カード１０１の発券が為されない待機状態では、紙カード１０１の全体が外周面に倣うのを防ぐことができ、長時間紙カード１０１が曲げられた状態で待機することによる、紙カード１０１に曲がりクセがつく等の不具合を低減することが可能となる。
【００７３】
以上、本発明の一実施の形態について説明したが、本発明は、これら以外にも、種々変形可能となっている。以下、それについて説明する。
【００７４】
上述の実施の形態においては、剥がし機構６０は、第１ポール６１、第２ポール６２およびガイド壁６３を具備している。しかしながら、剥がし機構は、これら以外の構成を採用しても良い。例えば、紙カード１０１の厚みをレバー等を介してメカ的に検出する機構を設けると共に、貼り付きが生じる等の原因により紙カード１０１の厚みが異常である場合には、レバーの回動に伴って、偏心カムが回動する。そして、この偏心カムにより、厚みが異常である部分よりも紙送りの後端側の紙カード１０１を挟み込むようにして、図８に示す状態と同様にバックテンションを掛けるようにする。このような剥がし機構を設けるようにしても、上述の実施の形態と同様に、接着部分を剥がすことが可能となる。
【００７５】
また、上述の実施の形態では、剥がし機構６０は、ガイド壁６３を設ける構成を採用している。しかしながら、剥がし機構６０は、ガイド壁６３を具備しない構成を採用しても良い。
【００７６】
また、上述の実施の形態においては、迂回手段は、第１ポール６１および第２ポール６２を具備している。しかしながら、迂回手段は、これら以外の構成を採用しても良く、例えば非回転の第１ポール６１および第２ポール６２に代えて、搬送ローラ３２ａ等の如きローラを用いるようにしても良い。なお、ローラを用いる場合、紙カード１０１を撓ませる効果はあるものの、走行抵抗が低減されるため、バックテンション付与の効果は、さほど存在しなくなる。
【００７７】
さらに、上述の実施の形態では、紙カード１０１をカード部材として説明している。しかしながら、カード部材は、紙カード１０１には限られない。例えば、カード基材を樹脂等とする樹脂製のカードを、カード部材としても良い。
【産業上の利用可能性】
【００７８】
本発明の発券装置は、駐車場等の分野において利用することができる。
【図面の簡単な説明】
【００７９】
【図１】本発明の一実施の形態に係る発券装置の概略構成を示す側面図である。
【図２】図１の発券装置の全体構成の概略を示すブロック図である。
【図３】図１の発券装置で用いられる紙カードの形状を示す平面図である。
【図４】図１の発券装置で用いられるカード連続体および収納箱の構成を示す斜視図である。
【図５】図１の発券装置のうち、フィーダおよびカードリーダ・ライタ付近の概略を示す側面図である。
【図６】図１の発券装置のうち、剥がし機構の構成を一部分解して示す斜視図である。
【図７】図１の発券装置において、紙カードを第１ポールに沿って撓ませて、接着部分を剥がす様子を示す模式図である。
【図８】図１の発券装置において、接着部分が第２ポールを経過した後に、当該貼り付き部分にバックテンションを作用させて、接着部分を剥がす様子を示す模式図である。
【図９】従来の発券装置の概略構成を示す側面図である。
【図１０】従来の発券装置において、重なり合う２つの折れ曲がり地点で貼り付きが生じている状態を示す模式図である。
【図１１】従来の発券装置において、重なり合う３つの折れ曲がり地点で貼り付きが生じている状態を示す模式図である。
【符号の説明】
【００８０】
１０…発券装置
２０…筐体部
３０…フィーダ
４０…カードリーダ・ライタ
５０…制御ユニット
６０…剥がし機構
６１…第１ポール（迂回手段の一部、およびポール部材の一部に対応）
６２…第２ポール（迂回手段の一部、およびポール部材の一部に対応）
６３…ガイド壁
１００…カード連続体
１０１…紙カード（カード部材に対応）
１０４…連結部
１１０…収納箱
【図１】
2007219698.tif 000003
【図２】
2007219698.tif 000004
【図３】
2007219698.tif 000005
【図４】
2007219698.tif 000006
【図５】
2007219698.tif 000007
【図６】
2007219698.tif 000008
【図７】
2007219698.tif 000009
【図８】
2007219698.tif 000010
【図９】
2007219698.tif 000011
【図１０】
2007219698.tif 000012
【図１１】
2007219698.tif 000013